(57)【要約】【課題】  蚊取り線香やマット式電子蚊取り器と同程度の時間の使用が可能であり、使い勝手がよく、蚊を誘引して効率よく捕虫できる蚊取り器を提供することである。【解決手段】  炭酸ガスを封入したガス透過性包装袋を収納する収納部と、粘着剤が表面に塗布された複数の縦長形状の粘着基体を有する粘着基体保持具を載置する台座部とを備え、前記台座部側の前記収納部に複数の開口孔が設けられている蚊取り器。また、前記台座部が前記収納部を周回するように設けられていることを特徴とする蚊取り器。【選択図】        図１
2006262886.tif 000002
【特許請求の範囲】
【請求項１】
炭酸ガスを封入したガス透過性包装袋を収納する収納部と、粘着剤が表面に塗布された複数の縦長形状の粘着基体を有する粘着基体保持具を載置する台座部とを備え、前記台座部側の前記収納部に複数の開口孔が設けられている蚊取り器。
【請求項２】
前記台座部が前記収納部を周回するように設けられていることを特徴とする請求項１記載の蚊取り器。
【請求項３】
前記台座部の外周縁全周に周壁が設けられていることを特徴とする請求項１、２のいずれかに記載の蚊取り器。
【請求項４】
前記収納部にガス透過性包装袋を押圧する押圧手段が設けられていることを特徴とする請求項１〜３のいずれかに記載の蚊取り器。
【発明の詳細な説明】
【技術分野】
【０００１】
本発明は、蚊を誘引して捕獲するための蚊取り器に関するものである。
【背景技術】
【０００２】
蚊取り器としては、一般的には蚊取り線香、マット式電子蚊取り器、液体式電子蚊取り器が知られ、広く家庭等で用いられている。これらはいずれも殺虫成分を空気中に揮散させ、これにより蚊を殺虫するものであるが、殺虫された蚊は室内の任意の場所に落下して死骸となって残るために、衛生面では決して好ましいものとは言えないものであった。また、殺虫成分は人体に安全とはいうものの乳幼児等のいる家庭では、使用するのを躊躇するものであった。
【０００３】
そこで、上記したような殺虫成分を揮散させる蚊取り器を使用しないで、蚊を捕獲（、あるいは、捕虫）する蚊取り器が提案されている（たとえば、特許文献１、２参照）。特許文献１に開示された技術は、粘着剤を塗布したざる形状の網目状体の底部に炭酸ガス発生手段を設け、発生した炭酸ガスを網目から放散させ、放散した炭酸ガスにより蚊を網目状体に誘引して、網目状体に塗布された粘着剤で捕獲するというものであり、捕獲効率において優れるものである。
【０００４】
しかしながら、特許文献１に開示された技術は、発生する炭酸ガスが網目状体の網目から直ちに放散するために、誘引時間としては炭酸ガスが発生している間だけ効果を発揮するものであり、効果を発揮する時間としては極めて短く、蚊の個体数を調査するための捕獲器具としては有効なものであるが、上記したような従来の蚊取り器の代わりにはなり得ないものである。
【０００５】
また、特許文献２に開示された技術は、蚊の個体数を調査するための捕獲器具を提供するものであって、筒状の捕虫容器の内面に粘着剤層を設け、炭酸ガスを一つの誘引剤として用いて、これにより誘引される蚊を捕虫容器の内面に設けられた粘着剤層で捕獲するというものであるが、筒状の捕虫容器を設置面に設置面を上方から覆うように置くだけのものであり、発生する炭酸ガスが捕虫容器と設置面の間から放散することになり、蚊を誘引する効果時間としては特許文献１と同様に極めて短いものであり、上記したような従来の蚊取り器の代わりにはなり得ないものである。また、捕虫機能としては捕虫容器の内面に設けられた粘着剤層のみであり、炭酸ガスにより捕虫容器の中空部に誘引された蚊が上部の開口から逃げることも考えられるために特許文献１に比べて捕獲効率はよろしくないものであると推測される。
【０００６】
また、特許文献１に記載された蚊捕獲器は、粘着剤を塗布された網目状体の取り扱いが煩雑であり、特許文献２に記載された蚊の捕集器具は、内面に粘着剤層が設けられた捕虫容器の取り扱いが煩雑であり、いずれのものも製造時の作業性あるいは使用時の使い勝手において問題があるものであった。
【特許文献１】特開２００３−６１５４１号公報
【特許文献２】特開平６−４６号公報
【発明の開示】
【発明が解決しようとする課題】
【０００７】
そこで本発明は、蚊取り線香やマット式電子蚊取り器と同程度の時間の使用が可能であり、使い勝手がよく、蚊を誘引して効率よく捕虫できる蚊取り器を提供することである。
【課題を解決するための手段】
【０００８】
本発明者は、上記課題を達成するために、請求項１記載の本発明の蚊取り器は、炭酸ガスを封入したガス透過性包装袋を収納する収納部と、粘着剤が表面に塗布された複数の縦長形状の粘着基体を有する粘着基体保持具を載置する台座部とを備え、前記台座部側の前記収納部に複数の開口孔が設けられていることを特徴とするものである。
【０００９】
また、請求項２記載の本発明は、請求項１記載の蚊取り器において、前記台座部が前記収納部を周回するように設けられていることを特徴とするものである。
【００１０】
また、請求項３記載の本発明は、請求項１、２のいずれかに記載の蚊取り器において、前記台座部の外周縁全周に周壁が設けられていることを特徴とするものである。
【００１１】
また、請求項４記載の本発明は、請求項１〜３のいずれかに記載の蚊取り器において、前記収納部にガス透過性包装袋を押圧する押圧手段が設けられていることを特徴とするものである。
【発明の効果】
【００１２】
本発明の蚊取り器は、蚊の誘引剤としてガス透過性包装袋に封入した炭酸ガスを用いるために取り扱いが容易であると共に、包装袋に用いる材料および厚さを適宜選択することにより包装袋からの炭酸ガスの放散時間を自在に設定することができるために、誘引効果を所望の時間継続することができ、結果として効率よく捕虫することができる。
【００１３】
また、容器本体の台座部の外周縁全周に底部から一定高さの周壁を設けたことにより、空気より重い炭酸ガスが台座部に溜まることになり、蚊取り器を設置した環境の空気の揺らぎで台座部に溜まった炭酸ガスが周壁から漏れ出すことによる誘引効果も期待することができるたために、この効果によっても捕虫することができる。
【発明を実施するための最良の形態】
【００１４】
上記の本発明について、図面等を用いて以下に詳しく説明する。
図１は本発明にかかる蚊取り器の一実施例を示す概略斜視図、図２は本発明にかかる蚊取り器の他の実施例を示す概略斜視図であり、図中の１，１’は蚊取り器、２，２’は容器本体、３，３’は粘着基体保持具、４はガス透過性包装袋、２Ａ，２Ｃは収納部、２Ｂ，２Ｄは台座部、２０は長穴状開口孔、２１は側壁、２２，２５は周壁、２３は周状側壁、２４は円形状開口孔、２６，２６’は蓋、３０は粘着基体、３１，３２は粘着基体支持板をそれぞれ示す。
【００１５】
図１は本発明にかかる蚊取り器の一実施例を示す概略斜視図であって、蚊取り器１は、横断面矩形状の蓋付き有底筒状の収納部２Ａと該収納部２Ａの長穴状開口孔２０を設けた側壁２１側で連接するその外周縁全周に周壁２２を有する台座部２Ｂとからなる容器本体２と、前記台座部２Ｂに載置する粘着剤が表面に塗布された複数の円柱状の粘着基体３０と該粘着基体３０を支持する粘着基体支持板３１とからなる粘着基体保持具３と、炭酸ガスを封入した四方シールタイプのガス透過性包装袋４とからなるものである。使用方法としては前記台座部２Ｂに前記粘着基体保持具３を複数の円柱状の粘着基体３０が上を向くように載置すると共に前記収納部２Ａ内に炭酸ガスを封入したガス透過性包装袋４を入れて蓋２６をして使用する。すなわち、ガス透過性包装袋４に封入された炭酸ガスがガス透過性包装袋４を透過して前記収納部２Ａ内に放散し、さらに前記収納部２Ａ内から前記開口孔２０を通って外部に放散される。外部に放散された炭酸ガスが蚊を誘引し、炭酸ガスにより誘引された蚊が前記粘着基体３０に接触して捕虫されるために、高い確率で蚊を捕虫することができる。また、図示はしないが、たとえば、前記長穴状開口孔２０を設けた前記側壁２１と直交する前記周壁２２を前記収納部２Ａと同じ高さにしてもよいものである。このように構成することにより、前記長穴状開口孔２０を通って放散される炭酸ガスの放散方向を規制することができ、蚊取り器から外部に放散される炭酸ガスの濃度を図１に示したものと比べて高いものとすることができる。また、たとえば、蓋２６を延長して前記台座部２Ｂの上部を覆うようにしてもよいものである。いずれか、また、いずれもの構成とすることにより、前記粘着基体３０に、たとえば、衣服の裾等が接触する虞をより少ないものとすることができる。
【００１６】
図２は本発明にかかる蚊取り器の他の実施例を示す概略斜視図であって、蚊取り器１’は横断面円形状の蓋付き有底筒状の収納部２Ｃと該収納部２Ｃの周状側壁２３に円形状開口孔２４を設け、前記収納部２Ｃを周回すると共にその外周縁全周に周壁２５を有する台座部２Ｄとからなる容器本体２’と、前記台座部２Ｄに載置する粘着剤が表面に塗布された複数の円柱状の粘着基体３０と該粘着基体３０を支持する粘着基体支持板３２とからなる粘着基体保持具３’と、炭酸ガスを封入した四方シールタイプのガス透過性包装袋４とからなるものである。蚊取り器１’の使用方法についても上記で説明した蚊取り器１と同じであって、前記台座部２Ｄに前記粘着基体保持具３’を複数の円柱状の粘着基体３０が上を向くように載置すると共に前記収納部２Ｃ内に炭酸ガスを封入したガス透過性包装袋４を入れて蓋２６’をして使用する。この場合、炭酸ガスが全方向に放散されるために、蚊取り器１に比べて一層高い確率で蚊を捕虫することができる。また、図示はしないが、蓋２６’を前記収納部２Ｄを覆う断面略コの字状としてもよいものであり、このように構成することにより、前記円形状開口孔２４を通って放散される炭酸ガスの放散方向を規制することができ、蚊取り器から外部に放散される炭酸ガスの濃度を図２に示したものと比べて高いものとすることができると共に前記粘着基体３０に、たとえば、衣服の裾等が接触する虞をより少ないものとすることができる。
【００１７】
前記容器本体２、２’、および、前記粘着基体保持具３、３’は、射出成形法で合成樹脂を用いて成形することにより容易に製造することができる。用いる合成樹脂としては、射出成形可能な樹脂であれば特に限定するものではないが、成形性や着色の容易さ、あるいは、前記容器本体２、２’の蓋等をヒンジを介して設けることなどを考慮するとポリプロピレンが適当である。
【００１８】
また、前記粘着基体３０の表面に塗布する粘着剤としては、炭酸ガスにより誘引された蚊を捕虫するために設けるものであり、この目的に適うものであれば特に限定されるものではないが、たとえば、ポリブテン、ポリイソブテン、スチレン−イソプレンブロック共重合体、アクリル樹脂等の１種ないし２種以上を混合したものを挙げることができ、必要に応じて、紫外線防止剤、酸化防止剤、タレ防止剤等の周知の添加剤を加えてもよいものである。粘着剤の性状としては、油性タイプ、水性タイプ、ノンソルベントタイプのいずれであってもよいものである。
【００１９】
また、前記粘着基体３０の表面に粘着剤を塗布する方法としては、前記粘着基体保持具３、３’の前記粘着支持板３１、３２の部分を支持して上記各種性状に調整された粘着剤槽に前記粘着基体３０をドブ漬けすることにより前記粘着基体の表面に粘着剤を設けることができるので極めて効率的である。
【００２０】
また、炭酸ガスを封入するガス透過性包装袋４としては、炭酸ガスを透過する性質を有する材料からなるものであれば特に限定するものではないが、エチレン系樹脂単体、あるいは、エチレンとアクリル酸ないしメタクリル酸、あるいは、エチレンとアクリル酸エステルないしメタクリル酸エステルとの共重合体、あるいは、エチレンと酢酸ビニルとの共重合体からなるシートにより製袋されたものが適当であるが、破袋強度を考慮するとエチレンとアクリル酸ないしメタクリル酸、あるいは、エチレンとアクリル酸エステルないしメタクリル酸エステルとの共重合体、あるいは、エチレンと酢酸ビニルとの共重合体からなるシートが好ましい。たとえば、２５μｍ厚さのエチレンと酢酸ビニルとの共重合体からなるシートは、炭酸ガスの透過度が４００，０００ｍｌ／ｍ2・２４時間・ＭＰａ〔ＡＳＴＭ  Ｄ−１４３４  ２４．８℃  湿度０％ＲＨ〕程度であり、放散時間（誘引効果時間）をどのレベルに設定するかにより適宜の厚さを決めればよいものである。また、包装袋４の形態としては、四方シールタイプに限定するものではなく、三方シールタイプ、スタンディングタイプ、あるいは、チューブを用いて上下を熱接着したタイプ等の周知の包装形態を採ることができる。炭酸ガス充填方法としては、真空チャンバーを用いて行えばよいものであるし、また、炭酸ガスを包装袋内に注入しながら、密封してもよいものである。
【００２１】
また、炭酸ガスを封入したガス透過性包装袋４は、使用する直前までアルミニウム箔を備えた包装袋、たとえば、２軸延伸ポリエステルフィルムあるいはナイロンフィルムとアルミニウム箔と熱接着性樹脂フィルムとを積層した積層体からなる包装袋に収納され、流通時等において炭酸ガスが放散してしまうのを防止している。
【００２２】
また、炭酸ガスを封入したガス透過性包装袋４の別の形態としては、図示はしないが、２軸延伸ポリエステルフィルムあるいはナイロンフィルムとアルミニウム箔の一方の面とをサンドイッチラミネーション法やドライラミネーション法等の周知の積層方法で積層し、前記アルミニウム箔の他方の面に、たとえば、アクリル系、ブチラール系、シェラック等の樹脂の単体ないし混合物からなる組成物をグラビア印刷法等の周知の塗布方法で塗布して剥離層を形成し、該剥離層面にＴダイ押出機にて加熱溶融押出しした低密度ポリエチレン層を形成した積層体となし、この積層体を一方に開口部を有する袋に成形し、炭酸ガスを充填後に開口部を密封した四方シールタイプ包装袋としてもよいものである。このように構成した包装袋は、使用時までは炭酸ガスの放散を防止することができ、また、使用時においては、包装袋の端縁をほぐす等により剥離層と低密度ポリエチレン層との間で容易に剥離することができ、炭酸ガスが充填された低密度ポリエチレン層のみからなる袋とすることができ、上記した２重袋に比べて製造者側の生産性に寄与すると共に材料費の低減を図ることができ、コスト面でも安価なものとすることができる。
【００２３】
また、炭酸ガスを封入したガス透過性包装袋４は、予め炭酸ガスをガス透過性包装袋４に封入したものを用いる以外に、図示はしないが、たとえば、水中に投下すると炭酸ガスを発生する発泡性錠剤を２軸延伸ポリエステルフィルムあるいはナイロンフィルムとアルミニウム箔と熱接着性樹脂フィルムとを積層した積層体からなる包装袋で密封包装し、これを開口部に開閉自在なチャック（雄型咬合部とこれに咬合する雌型咬合部を備えたチャック）を取り付けたエチレン−酢酸ビニル共重合体からなる包装袋に収納した状態で流通させ、使用時にチャックを開封して包装された発泡性錠剤を取り出して後に、エチレン−酢酸ビニル共重合体からなる包装袋に適当量の水を注入すると共にその中に発泡性錠剤の裸錠を投入してチャックを閉止して用いるようにしたものであってもよいものである。前記発泡性錠剤としては、たとえば、花王（株）製のバブ（商品名）を挙げることができる。このように構成することにより、使用時に炭酸ガスを発生させることができるので、予め炭酸ガスを封入しておく場合に比べて、炭酸ガスの損失を防止することができる。
【００２４】
また、円柱状の粘着基体３０と該粘着基体３０を支持する粘着基体支持板３１、３２とからなる粘着基体保持具３、３’は、射出成形で一体形成する他に、所定箇所に嵌合孔を設けた粘着基体支持板３１、３２のみを射出成形品とし、前記粘着基体３０を、たとえば、木製として前記粘着基体支持板３１、３２の嵌合孔に嵌合させたものであってもよいものである。
【００２５】
また、前記蚊取り器１，１’の開口孔は長穴状や円形状に限ることはなく、炭酸ガスが通ればよいのであって、スリット等であってもよいものである。また、前記蚊取り器１’は、前記収納部２Ｃを横断面円形状としたが、多角形状であってもよいし、台座部２Ｄについても円形状に限ることはなく、前記収納部２Ｃの形状と相似の形状としてもよいものである。
【００２６】
また、前記蓋２６，２６’は、単に収納部に係止するだけの合せ蓋であってもよいが、たとえば、収納部に螺合する蓋、あるいは、嵌合する蓋としてもよいものである。また、ガス透過性包装袋を常時押圧する錘や蓋の内面にコイルバネ等の押圧手段を設け、炭酸ガスをガス透過性包装袋から強制的に常時放散するようにしてもよいものである。
【００２７】
また、前記容器本体２、２’の大きさとしては、概ね１００ｍｍ（縦寸法）×１００ｍｍ（横寸法）×１００ｍｍ（高さ寸法）の方体に納まる大きさであり、前記粘着基体３０の高さや太さ、あるいは、粘着基体３０を設ける間隔等は適宜の寸法が選択されるものである。
【００２８】
また、前記粘着基体保持具３、３’は、定期的な交換が必要なために、別売されるものであり、たとえば、真空成形した成形体で少なくとも前記粘着基体３０の部分を被覆して表面に塗布された粘着剤に触れることがないように構成される。また、必要に応じて、前記粘着基体３０全体を帯状の離型紙で被覆してもよいものである。
【図面の簡単な説明】
【００２９】
【図１】本発明にかかる蚊取り器の一実施例を示す概略斜視図である。
【図２】本発明にかかる蚊取り器の他の実施例を示す概略斜視図である。
【符号の説明】
【００３０】
１，１’                                蚊取り器
２，２’                                容器本体
３，３’                                粘着基体保持具
４                                      ガス透過性包装袋
２Ａ，２Ｃ                              収納部
２Ｂ，２Ｄ                              台座部
２０                                    長穴状開口孔
２１                                    側壁
２２，２５                              周壁
２３                                    周状側壁
２４                                    円形状開口孔
２６，２６’                            蓋
３０                                    粘着基体
３１，３２                              粘着基体支持板
【図１】
2006262886.tif 000003
【図２】
2006262886.tif 000004